(57)【特許請求の範囲】
【請求項１】
液不透過性の防漏層及び該防漏層より肌当接面側に配された液保持性の吸収層を具備する実質的に縦長の吸収性物品において、
上記吸収性物品の長手方向左右両側部に、液不透過性の帯状伸縮性シートにより形成され且つ肌当接面側へ凸形状に形成された弾性壁を有し、該弾性壁は上記吸収性物品の幅方向に対して外側部および内側部に区分され、
上記吸収層が、吸収性物品の幅方向中央部および上記弾性壁の内側部の肌当接面側に配されていることを特徴とする吸収性物品。
【請求項２】
上記吸収性物品は、その長手方向において肌当接面側に凹状に湾曲した形状を有する請求項１記載の吸収性物品。
【請求項３】
上記吸収層は、液体保持性の吸収体と該吸収体の肌当接面側を覆う液体透過性の表面シートとからなり、上記帯状伸縮性シートからなる上記弾性壁の外側部の肌当接面が、該外側部上に延出した上記表面シートに覆われている請求項１記載の吸収性物品。
【請求項４】
上記吸収層は、上記弾性壁の内側部の内方において、長手方向に延びる左右１対の溝を有している請求項１記載の吸収性物品。
【発明の詳細な説明】
【０００１】
【発明の属する技術分野】
本発明は、フィット性が高く、モレにくい、生理用ナプキンや失禁パッド等の吸収性物品に関する。
【０００２】
【従来の技術及び発明が解決しようとする課題】
液透過性の表面層、液不透過性の防漏層および液保持性の吸収層からなる生理用ナプキンや失禁パッドなどの吸収性物品は広く用いられているが、着用時において、吸収性物品の側縁部から排泄物がもれる横漏れを生じる問題がある。
【０００３】
そこで、横漏れを防止するために、例えば、特開平８−２１５２４４号公報では吸収性物品の両側縁部に合成樹脂フィルム等の弾性片からなるカフを設けた吸収性物品が、また、実開平３−１５５１１号公報ではポリウレタン等の発泡体、不織布等の剛性が高い材料からつくられた弾性保形片により吸収層の両側部を立体に形成させることが提案されている。
しかし、特開平８−２１５２４４号公報では、装着者の体圧によりカフが内側に倒れ込み排泄物がカフを越えて漏れることがあり、実開平３−１５５１１号公報では、弾性保形片の剛性が高く、装着者の体圧に対して緩衝できずに吸収体がよれたり、弾性保形片が装着者に違和感を与えることがあるなど、未だ漏れ防止と装着感を十分に満足していない。
【０００４】
従って、本発明の目的は、漏れ防止性能に優れ、また装着感の良好な吸収性物品を提供することにある。
【０００５】
【課題を解決するための手段】
本発明は、長手方向左右両側部に液不透過性の帯状伸縮性シートにより弾性壁を形成させ、その内側部に吸収層が配された吸収性物品により、上記目的を達成させるものである。
【０００６】
本発明は、液不透過性の防漏層及び該防漏層より肌当接面側に配された液保持性の吸収層を具備する実質的に縦長の吸収性物品において、上記吸収性物品の長手方向左右両側部に、液不透過性の帯状伸縮性シートにより肌当接面側へ凸形状に形成された弾性壁を有し、該弾性壁は上記吸収性物品の幅方向に対して外側部および内側部に区分され、上記吸収層が、吸収性物品の幅方向中央部および弾性壁の内側部の肌当接面側に配されていることを特徴とする吸収性物品を提供するものである。
【０００７】
【発明の実施の形態】
以下、本発明の好ましい１実施形態について、図面を参照して説明する。
【０００８】
本形態の吸収性物品としての生理用ナプキン１は、図１及び図２に示すように、液不透過性の防漏層３及び該防漏層３より肌当接面側に配された液保持性の吸収層２を具備し、実質的に縦長の形状をしている。上記防漏層３は防漏シート３１により形成されており、上記吸収層２は液体保持性の吸収体２１と、該吸収体２１の肌当接面側を覆うように配された液体透過性の表面シート２２とからなる。上記表面シート２２は肌当接面を形成し、上記防漏シート３１は非肌当接面を形成し、表面シート２２と防漏シート３１は、生理用ナプキンの周縁部において接着されている。そして、非肌当接面には下着に装着するためのずれ止め材４が設けられている。
尚、本願において、長手方向とは吸収性物品の縦長の方向を指し、幅方向とは長手方向に対して垂直の方向を指す。
また、本発明の上記の表面シート、防漏シートおよび吸収体等の各構成材料、および吸収性物品としての製造方法については、従来からのものを用いることができる。
【０００９】
本実施形態の生理用ナプキン１では、一対の帯状の伸縮性シート５が防漏シート３１の長手方向左右両側部にそれぞれ配設および固定されており、該伸縮性シート５の収縮により、肌当接面側に凸形状の弾性壁１０が形成される。
上記弾性壁１０は、弾性壁の頂部近傍により幅方向に外側部１０ａおよび内側部１０ｂに区分される。
上記吸収層２は、防漏シート３１より肌当接面側に位置し、且つ幅方向中央部１ａ及び各弾性壁１０の上記内側部１０ｂの肌当接面側に配されている。
【００１０】
更に詳述すると、上記弾性壁１０は、長手方向に伸び、幅方向の断面形状が肌当接面側に凸の円弧形状であり、上記内側部１０ｂには生理用ナプキン１の長手方向に沿って両端に亘るまで上記吸収層２が配されている。
【００１１】
本実施形態の生理用ナプキン１においては、表面シート２２は吸収体２１を覆うとともに、更に弾性壁も覆い、該表面シートの外縁はそれぞれ生理用ナプキン１の両側および両端に固定される。
上記吸収体２１の厚みは、フィット性および立体形状の保持性から０．０５〜３ｍｍが好ましく、０．２〜２ｍｍが一層好ましい。また、吸収層２の幅方向中央部１ａの幅Ｗは、体へのフィット性の点から１５〜６０ｍｍが好ましい。
【００１２】
上記伸縮性シート５、５は、それぞれ生理用ナプキン１の長手方向の両端に亘るように設けられており、また長手方向に伸張された状態で、防漏シート３１の肌当接面側に固着されている。
詳細には、伸縮性シート５は、生理用ナプキン１の長手方向及び幅方向、即ち、各伸縮性シート５の長手方向に沿う両側縁部である外側縁部５ｂ及び内側縁部５ｃ、並びに幅方向に沿う両端部５ａ，５ａにおいて、それぞれ上記防漏シート３１に接着固定されている。
上記伸縮性シート５の両側縁部５ｂ，５ｃにおける収縮力は、伸縮性シート全体の収縮力よりも弱く、伸縮性シートの両側縁部間、即ち外側縁部５ｂと内側縁部５ｃの間の中央部分が生理用ナプキンの長手方向に積極的に収縮する。そして、該伸縮性シート５の収縮により、生理用ナプキン１の両側部に肌当接面側に凸の立体形態である弾性壁１０を形成している。また、本実施形態の生理用ナプキン１においては、該伸縮性シート５の収縮により、生理用ナプキン全体が長手方向に肌当接面に凹状に湾曲されている。
【００１３】
幅方向中央部１ａの吸収層２からの上記弾性壁１０の高さｈは、漏れ防止効果および装着感の点で、１〜１５ｍｍが好ましく、２〜１０ｍｍがより好ましい。また、長手方向における肌当接面側に凹状に湾曲する湾曲率としては、身体へのフィット性および下着への装着性との点で、図３に示す曲率半径ｒが、５０〜３００ｍｍであることが好ましく、１００〜２００ｍｍであることがより好ましい。
【００１４】
好ましい弾性壁の高さ及び生理用ナプキンの長手方向への湾曲率を得る為には、上記伸縮性シート５は、吸収性物品に接着固定する際に、伸縮物性、固定個所等を調整する。
【００１５】
上記伸縮性シート５の伸縮物性は、弾性壁の高さの成形性、およびフィット性の点で、吸収性物品の長手方向において５〜５０％伸張したときの応力が、５０〜５００ｃＮ／幅２５ｍｍが好ましく、１００〜３００ｃＮ／幅２５ｍｍがより好ましい。
【００１６】
また、上記伸縮性シート５の幅方向の固定は、上述した弾性壁の好ましい凸形状および高さｈを得る為に、５ｂと５ｃとの間隔は３〜３０ｍｍが好ましく５〜２０ｍｍがより好ましい。
伸縮性シート５と防漏シート３１の固定、及び吸収層２の伸縮性シート５と防漏シート３１の固定は、ヒートシール、ホットメルトおよび超音波等を用いて行われる。
【００１７】
上記伸縮性シート５は、帯状のシートであり、伸縮性を有するものであれば特に限定されない。具体的には、シート材料としては、天然ゴム、ポリウレタン、スチレン−イソプレン共重合体、スチレン−ブタジエン共重合体、アクリル酸エチルとエチレンとの共重合体等のエチレン−αオレフィン共重合体等からなる材料自体が伸縮性を有するフィルム、不織布、織物等のシートがあげられ、該フィルムと不織布の積層物等が挙げられる。
【００１８】
伸縮性シートが不織布との積層物の場合は、ヒートシール性を向上させる為に、ポリエチレン／ポリエステル、ポリエチレン／ポリプロピレン、あるいはポリプロピレン等からなる熱可塑性不織布と積層して用いることが好ましい。
この様な熱可塑性不織布は、不織布自身が伸縮性を有するようにクリンプ加工した繊維を用いることが好ましい。伸び難い不織布を積層する場合は、あらかじめ伸縮性フィルムのみを所定の伸張率まで伸張し、不織布にホットメルトやヒートシール等によって接着し、伸縮性フィルムが不織布をギャザリングする様にして作っても良い。
【００１９】
また、本形態の生理用ナプキン１では、弾性壁の内側部１０ｂの内方において、長手方向中央部１ｂの吸収層２の肌当接面に、長手方向に沿う一対の第１溝１４、１４および第２溝１５、１５がエンボス加工、熱溶着等により設けられている。上記第１溝および第２溝においては、表面シート２２と吸収体２１が接着されている。上記第１溝および第２溝の深さは０．１〜５ｍｍが好ましく、幅０．１〜５ｍｍとするのが好ましい。
【００２０】
本実施形態の生理用ナプキン１は、弾性壁１０が生理用ナプキンの両側部に凸曲面形状に長手方向に延びて防漏壁を形成しており、横漏れ防止に優れる。
また、上記弾性壁１０は、伸縮性シート５により形成され、且つ生理用ナプキンの両側部に形成されることにより、幅方向外側からの装着者の体圧を緩衝し、変形回復性がよく、ヨレにくいため、漏れ防止に優れた吸収性物品を提供できる。更には、弾性壁１０は、柔軟で適度の変形自由度を有し身体の動きに追従し、装着者に違和感がなく装着感が優れる。
【００２１】
また、本実施形態の生理用ナプキン１は、吸収層２が弾性壁１０の内側部１０ｂまで配されて生理用ナプキンの両側部が吸収性の防漏壁を形成するため、横漏れ防止が一層優れたものとなる。また、常に吸収面が広く維持され、且つ内側部１０ｂの吸収層２に適度な自由度があるため、吸収体が内側に倒れて吸収阻害することがなく、身体に吸収面が沿い、吸収面からの排せつポイントのズレや浮きによる吸収力や吸収速度の低下や漏れを極力防止できる。
【００２２】
更には、本実施形態の生理用ナプキン１においては、上記表面シート２２は弾性壁１０全体を覆うように配されるため、装着者への肌触りが良好である。
本実施形態の生理用ナプキン１においては、第１溝１４および第２溝１５を有しているため、体液の吸収および拡散の抑制に寄与し、優れた防漏性が発揮される。また、第２溝１５を有しているため、上記吸収層２が上記弾性壁の内側部１０ｂに沿って一層良好に支持することができ、生理用ナプキン１が装着者の股間に良好にフィットされる。
【００２３】
尚、好ましい実施形態について説明したが、以下のように変更することが可能である。
図４及び図５に示すように、表面シート２２は、弾性壁１０の外側部１０ａへの体液の浸透を防止するため、吸収体２の側縁部を覆って内側へ折り込み、弾性壁１０の外側部１０ａを被覆していなくてもよい。この場合、伸縮性シート５は、肌に直接当接する個所の肌触りを良好にする為、及びヒートシール性を向上させる為に、ポリエチレン／ポリエステル、ポリエチレン／ポリプロピレン、あるいはポリプロピレン等からなる熱可塑性不織布との積層材を用いてもよい。
【００２４】
また、伸縮性シート５の両側縁部５ｂ、５ｃの長手方向に沿う固定は、それぞれ全長に亘って接着しても良く、長手方向の中央部１ｂのみで接着しても良い。また、伸縮性シート５の幅方向に沿う固定は、両端部５ａで接着してもよく、中央部１ｂよりの位置において接着しても良い。
また、伸縮性シート５を幅方向に更に延出させ、非肌当接面側にずれ止め材を設けることにより、下着固定用の伸縮性ウィングを形成させても良い。
【００２５】
【発明の効果】
本発明の吸収性物品によれば、優れた防漏性および装着感を得ることができる。
【図面の簡単な説明】
【図１】本発明の吸収性物品の第１の実施形態としての生理用ナプキンを示す斜視図である。
【図２】図１のＩ−Ｉ線断面図である。
【図３】図１の生理用ナプキン１の凹面形状を示すＩＩ−ＩＩ線の概略の断面図である。
【図４】本発明の吸収性物品の他の実施形態としての生理用ナプキンを示す斜視図である。
【図５】図４のＩ−Ｉ線断面図である。
【符号の説明】
１，１’  生理用ナプキン
１ａ      幅方向中央部
１ｂ      長手方向中央部
２        吸収層
２１      吸収体
２２      表面シート
３        防漏層
３１      防漏シート
４        ずれ止め材
５        伸縮性シート
５ａ      伸縮性シートの両端部
５ｂ      伸縮性シートの外側縁
５ｃ      伸縮性シートの内側縁
１０      弾性壁
１０ａ    弾性壁の外側部
１０ｂ    弾性壁の内側部
１４      第１溝
１５      第２溝
【図１】
0004023934.tif 000002
【図２】
0004023934.tif 000003
【図３】
0004023934.tif 000004
【図４】
0004023934.tif 000005
【図５】
0004023934.tif 000006